(57)【要約】【課題】サポータ使用時に、不使用の母指通し穴による手部の固定力低下が発生せず、掌側シーネと同一サイズの背側シーネを使用しても、何れの手へのサポータ装着時でも、背側シーネにより手首の背屈を制限可能な左右兼用手首サポータを提供する。【解決手段】手部の固定力低下が生じない左右兼用手首サポータ１０とするため、サポータ本体１３の長さ方向の一端部に左母指通し穴１１、その他端部に右母指通し穴１２を形成する。使用時には、左右の手に応じて、サポータ１０の長さ方向の近位側と遠位側の向きを変更する。また、サポータ１０を何れの手に装着しても、背側シーネ１７により手首の背屈を制限可能なように、サポータ本体１３の背側部分の長さ方向の両端部の内面に、背側シーネ１７の近位側の端部を収納する一対の位置決めポケット２２，２３を配設する。【選択図】図１
2020204124.tif 000002
【特許請求の範囲】
【請求項１】
手部から前腕部までを覆う長さの略矩形体であって、その長さ方向に延びる仮想線により折り畳まれて、腕の当該部位をはさんだとき、手の掌に当接する掌側部分および手の背に当接する背側部分を有し、その長さ方向の両端部に左母指通し穴および右母指通し穴がそれぞれ形成されたサポータ本体を備え、
それぞれ矩形板状の背側シーネおよび掌側シーネが、前記サポータ本体の対応する掌側部分および背側部分に配されて、腕の当該装着部位を保護する左右兼用手首サポータにおいて、
前記サポータ本体の背側部分の幅方向の一端には、該背側部分を着脱自在に前記掌側部分に締結する締結ベルトが連結され、
前記背側部分の長さ方向の両端部の内側には、前記左右兼用手首サポータの左手または右手への装着時に、前記背側シーネの遠位側の端が、対応する手の小指から示指までの各ＭＰ関節との対峙位置に配されるように、前記背側シーネの近位側の端部を収納して位置決めする一対の位置決めポケットが配設された左右兼用手首サポータ。
【請求項２】
前記サポータ本体の掌側部分の内側には、前記掌側シーネの上から被せた際に、前記掌側部分の内面との間で掌側シーネ収納部を形成する掌側シーネ用カバーが、掌側掛止部材を介して開閉自在に連結され、
前記サポータ本体の背側部分の内側には、前記背側シーネの上から被せた際に、前記背側部分の内面との間で背側シーネ収納部を形成する背側シーネ用カバーが、背側掛止部材を介して開閉自在に連結された請求項１に記載の左右兼用手首サポータ。
【発明の詳細な説明】
【技術分野】
【０００１】
この発明は、添え木である掌側シーネおよび背側シーネを利用して、骨折や捻挫等の受傷した手首を固定するための左右兼用手首サポータに関する。
【背景技術】
【０００２】
手首の骨折や捻挫時には、シーネ付きの手首サポータ（リストスプリント）を使用し、受傷部位を固定することが行われている。
従来の手首サポータとしては、例えば、特許文献１の"手首用添え木構造体"に開示されたものなどが知られている。これは、面ファスナ付きの上下３本のストラップ体（サポータ本体）を使用し、掌側の添え木（掌側シーネ）と背側の添え木（背側シーネ）とを、受傷側の手部から前腕部までを掌背方向から挟むようにあてがって固定する左右兼用のサポータである。
【０００３】
特許文献１における左右兼用構造としては、２枚の添え木の各遠位側の端部（先部）を手部に固定する１本の細いストラップ体と、各添え木の中間部を手首に固定する遠位側の幅広なストラップ体とのあいだに、左右の母指通し用の隙間を形成したものが採用されている。そのため、この手首サポータを左手に装着する際には、掌側の添え木の遠位側の端部より左方の隙間から左手の母指を差し出し、この手首サポータを右手に装着する際には、掌側の添え木の遠位側の端部より右方の隙間から右手の母指を差し出す。
【先行技術文献】
【特許文献】
【０００４】
【特許文献１】特許第４３１４４３８号公報
【発明の概要】
【発明が解決しようとする課題】
【０００５】
しかしながら、特許文献１の手首サポータにあっては、その左右兼用構造として、細いストラップ体と遠位側の幅広なストラップ体とを離間配置し、この隙間の右側部分を右母指通し穴、左側部分を左母指通し穴としたものを採用していた。
そのため、手首サポータの手部との対峙部分にあっては、左右の手の何れに装着した場合でも、母指を差し通した側とは反対側に大きな穴が現出し、サポータによる手部の固定力、ひいては手首の固定力が大きく低下していた。
【０００６】
また、２枚の添え木は、手首の受傷部位を掌背方向から挟むように使用される。このとき、掌側の添え木は、小指から示指までの４本の指の大きな可動域を確保するため、これらの指のＭＰ関節（指の付け根部分にある第３関節）の近くに、その添え木の遠位側の端（指先側の先端）が配置される。
一方、背側の添え木は、ＭＰ関節を固定して手首の背屈を制限する必要があるため、その遠位側の端を、掌側の添え木の遠位側の端より先方（指先方向）となる、ＭＰ関節との対峙位置に配する必要があった。
なお、２枚の添え木は、互いに同一サイズとした方が材料の調達やコストの観点から好ましいことは当然である。
【０００７】
そこで、発明者は鋭意研究の結果、サポータ本体の手部、ひいては手首の固定力の低下が発生しない左右兼用手首サポータとするために、サポータ本体の長さ方向（上肢の遠近方向）の一端部に左母指通し穴を形成する一方、その長さ方向の他端部に右母指通し穴を形成した構成とし、使用時には、装着する左右の手に応じて、左右兼用手首サポータの長さ方向の近位側と遠位側の向きを変更すればよいことを知見した。
また、左右兼用手首サポータを左右の何れの手に装着した際でも、背側シーネによりＭＰ関節を固定して手首の背屈を制限できるように、サポータ本体の背側部分の長さ方向の両端部の内面に、背側の添え木の近位側の端部を収納する一対の位置決めポケットを配設すれば、これらの課題がすべて解消されることを知見し、この発明を完成させた。
【０００８】
この発明は、サポータ本体に２つの母指通し穴を有した左右兼用手首サポータでも、サポータの使用時に、使用しない側の母指通し穴による手部の固定力の低下が発生せず、また掌側シーネと同一サイズの背側シーネを使用するにも拘わらず、左右兼用手首サポータを左右の手の何れに装着したときでも、背側シーネの遠位側の端部によって手首の背屈を十分に制限可能な左右兼用手首サポータを提供することを目的としている。
【課題を解決するための手段】
【０００９】
請求項１に記載の発明は、手部から前腕部までを覆う長さの略矩形体であって、その長さ方向に延びる仮想線により折り畳まれて、腕の当該部位をはさんだとき、手の掌に当接する掌側部分および手の背に当接する背側部分を有し、その長さ方向の両端部に左母指通し穴および右母指通し穴がそれぞれ形成されたサポータ本体を備え、それぞれ矩形板状の背側シーネおよび掌側シーネが、前記サポータ本体の対応する掌側部分および背側部分に配されて、腕の当該装着部位を保護する左右兼用手首サポータにおいて、前記サポータ本体の背側部分の幅方向の一端には、該背側部分を着脱自在に前記掌側部分に締結する締結ベルトが連結され、前記背側部分の長さ方向の両端部の内側には、前記左右兼用手首サポータの左手または右手への装着時に、前記背側シーネの遠位側の端が、対応する手の小指から示指までの各ＭＰ関節との対峙位置に配されるように、前記背側シーネの近位側の端部を収納して位置決めする一対の位置決めポケットが配設された左右兼用手首サポータである。
【００１０】
左右兼用手首サポータは、左手と右手との何れにも使用可能なものである。
サポータ本体の素材は湾曲自在であれば任意である。例えば、各種の合成樹脂シート、各種の織布、各種の不織布、各種の編布などを採用することができる。
サポータ本体は、掌側部分と背側部分とを有している。具体的には、掌側部分の幅方向の一端に、背側部分の幅方向の一端が連結されている。サポータ本体を折り畳むための仮想線は、一般的に掌側部分と背側部分との連結位置に配されている。また、この背側部分の幅方向の他端には、背側部分を着脱自在に掌側部分に締結するための締結ベルトが連結されている。さらには、この背側部分の幅方向の他端には、締結ベルトを使用する前に、背側部分を掌側部分に着脱自在に仮止めするための仮止めベルトを配してもよい。
締結ベルトによる背側部分と掌側部分との着脱自在な連結構造としては、例えば、各種の面ファスナを採用することができる。その他、バックルなどの各種の連結部材を採用することができる。
締結ベルトの素材は任意である。例えば、サポータ本体と同じでもよい。
また、締結ベルトの長さや使用本数も任意である。
【００１１】
左母指通し穴および右母指通し穴の形状、サイズは任意である。これらの通し穴は、掌側部分と背側部分との連結部の長さ方向の対応する端部に、この長さ方向へ直線的に配される。
掌側シーネと背側シーネとの素材は任意である。例えば、石膏、ポリイソシアネート樹脂などの湿気硬化性樹脂といった吸水により硬化する素材などを採用することができる。その他、各種の金属板、各種の合成樹脂板、各種の木板などを採用することができる。
掌側シーネおよび背側シーネの形状は、これらが同一サイズであれば任意である。
【００１２】
また、ここでいう「背側シーネの遠位側の端が、対応する手の小指から示指までの各ＭＰ関節との対峙位置に配される」とは、例えば、サポータ左手装着時に、背側シーネの遠位側の端を、左手の小指から示指までの各ＭＰ関節との対峙位置に配置したり、サポータ右手装着時に、背側シーネの遠位側の端を、右手の小指から示指までの各ＭＰ関節との対峙位置に配置することを意味する。
一対の位置決めポケットは、一方が左右兼用手首サポータの左手装着時用のもので、他方が左右兼用手首サポータの右手装着時用のものである。
各位置決めポケットの素材は任意である。例えば、各種の合成樹脂シート、各種の織布、各種の不織布、各種の編布などを採用することができる。
【００１３】
請求項２に記載の発明は、前記サポータ本体の掌側部分の内側には、前記掌側シーネの上から被せた際に、前記掌側部分の内面との間で掌側シーネ収納部を形成する掌側シーネ用カバーが、掌側掛止部材を介して開閉自在に連結され、前記サポータ本体の背側部分の内側には、前記背側シーネの上から被せた際に、前記背側部分の内面との間で背側シーネ収納部を形成する背側シーネ用カバーが、背側掛止部材を介して開閉自在に連結された請求項１に記載の左右兼用手首サポータである。
【００１４】
掌側シーネ用カバーおよび背側シーネ用カバーの素材としては、各種の合成樹脂シート、各種の織布、各種の不織布、各種の編布などを採用することができる。
各シーネ用カバーのサイズは、対応するシーネより大判であれば任意である。
各シーネ用カバーは、対応するシーネ収納部を形成可能であれば、例えば、対応するシーネ用カバーの一端部のみを、サポータ本体の掌側部分または背側部分の各内側に、片開きドア状に連結してもよい。
掛止部材の種類は限定されない。例えば、面ファスナでも、フックでもよい。
【発明の効果】
【００１５】
請求項１に記載の発明によれば、左右兼用手首サポータの左手装着時には、まず左母指通し穴がサポータ長さ方向の遠位側となるように左右兼用手首サポータの向きを配置し、この状態で左母指通し穴に左母指を差し通す。その後、サポータ本体の掌側部分の内側に掌側シーネを配置して、これを左手の手部から前腕部までの掌側の面にあてがう。このとき、掌側部分の遠位側の端は、左手の小指から示指までの４本の指の大きな可動域を確保するため、これらの指のＭＰ関節の近くに配置される。
次に、サポータ本体の背側部分の内側に、掌側シーネと同一サイズの背側シーネを配置する。このとき、背側部分の長さ方向において、左母指通し穴とは反対側に配された位置決めポケットに、背側シーネの近位側の端部を収納する。
その後、この背側シーネ付きの背側部分を、左手の手部から前腕部までの背側の面にあてがいながら、左右兼用手首サポータを左手に巻き付け、締結ベルトによりサポータ本体の背側部分を掌側部分に着脱自在に締結する。
【００１６】
一方、左右兼用手首サポータの右手装着時には、まず左右兼用手首サポータの長さ方向の近位側と遠位側の向きを、左手装着時の場合とは反対となるように配置する。その後、右母指通し穴に右母指を差し通すとともに、サポータ本体の掌側部分の内側に掌側シーネを配置して、これを右手の手部から前腕部までの掌側の面をあてがう。このとき、掌側部分の遠位側の端は、右手の小指から示指までの４本の指の大きな可動域を確保するため、これらの指のＭＰ関節の近くに配置される。
次に、サポータ本体の背側部分の内側に背側シーネを配置する。このとき、背側部分の長さ方向において、右母指通し穴とは反対側に配された位置決めポケットに、背側シーネの近位側の端部を収納する。
その後、この背側シーネ付きの背側部分を、右手の手部から前腕部までの背側の面にあてがいながら、左右兼用手首サポータを右手に巻き付け、締結ベルトによりサポータ本体の背側部分を掌側部分に着脱自在に締結する。
【００１７】
このように、サポータ本体のうち、掌側部分と背側部分との連結部の長さ方向の一端部に左母指通し穴を形成する一方、その長さ方向の他端部に右母指通し穴を形成するように構成したため、使用時に、装着する左右の手に応じて、左右兼用手首サポータの長さ方向の近位側と遠位側の向きを変更するだけで、これを左手用と右手用とに使い分けることができる。
その結果、サポータ本体に２つの母指通し穴が形成された左右兼用手首サポータでも、左右兼用手首サポータの装着時に、使用しない側の母指通し穴による手部の固定力の低下が発生しない。
しかも、サポータ本体の背側部分の内側に背側シーネを配置するとき、背側部分の長さ方向において、対応する母指通し穴とは反対側に配された位置決めポケットに、背側シーネの近位側の端部を収納するように構成したため、掌側シーネと同一サイズの背側シーネを使用するにも拘わらず、左右兼用手首サポータを左右の手の何れに装着した際でも、背側シーネの遠位側の端部によって手首の背屈を十分に制限（阻害）することができる。
【００１８】
特に、請求項２に記載の発明によれば、サポータ本体の掌側部分の内側に掌側シーネを配置する際には、掌側掛止部材を介して、開閉自在な掌側シーネ用カバーを掌側シーネの上から被せた状態で閉じる。また、サポータ本体の背側部分の内側に背側シーネを配置する際には、背側掛止部材を介して、開閉自在な背側シーネ用カバーを背側シーネの上から被せた状態で閉じる。このように構成したことで、サポータ本体の内側に対しての掌側シーネおよび背側シーネの配置位置を、次回以降の左右兼用手首サポータの装着時にも維持することができる。
【図面の簡単な説明】
【００１９】
【図１】この発明の実施例１に係る左右兼用手首サポータの全体平面図である。
【図２】この発明の実施例１に係る左右兼用手首サポータの掌側シーネ用カバーおよび背側シーネ用カバーを開いた状態の斜視図である。
【図３】この発明の実施例１に係る左右兼用手首サポータの掌側シーネおよび背側シーネの浸水状態を示す斜視図である。
【図４】この発明の実施例１に係る左右兼用手首サポータの左手装着時のサポータ本体への掌側シーネおよび背側シーネの取り付け状態を示す斜視図である。
【図５】この発明の実施例１に係る左右兼用手首サポータの左手装着開始状態を示す平面図である。
【図６】この発明の実施例１に係る左右兼用手首サポータの左手装着後の状態を示す平面図である。
【図７】この発明の実施例１に係る左右兼用手首サポータの左手装着後の状態を示す底面図である。
【図８】この発明の実施例１に係る左右兼用手首サポータの左手装着状態での掌側シーネおよび背側シーネの各遠位側の端の位置を示す側面図である。
【図９】この発明の実施例１に係る左右兼用手首サポータの右手装着時のサポータ本体への掌側シーネおよび背側シーネの取り付け状態を示す斜視図である。
【図１０】この発明の実施例１に係る左右兼用手首サポータの右手装着後の状態を示す平面図である。
【図１１】この発明の実施例１に係る左右兼用手首サポータの右手装着後の状態を示す底面図である。
【図１２】この発明の実施例２に係る左右兼用手首サポータの一部を構成するサポータ本体の平面図である。
【図１３】（ａ）この発明の実施例２に係る左右兼用手首サポータの左手装着開始状態を示す平面図である。（ｂ）この発明の実施例２に係る左右兼用手首サポータの左手装着時に掌側部分に仮止めベルトを掛止している状態を示す平面図である。（ｃ）この発明の実施例２に係る左右兼用手首サポータの左手装着後の状態を示す平面図である。
【発明を実施するための形態】
【００２０】
以下、この発明の実施例を具体的に説明する。ここでは説明の都合上、Ｘ１側を左右兼用手首サポータの長さ方向の遠位側、Ｘ２側を左右兼用手首サポータの長さ方向の近位側、Ｙ１側を左右兼用手首サポータの幅方向の一端側、Ｙ２側を左右兼用手首サポータの幅方向の他端側とする。
【実施例】
【００２１】
図１に示すように、この発明の実施例１に係る左右兼用手首サポータ１０は、受傷した手の手部から前腕部までを覆い、左母指通し穴１１と右母指通し穴１２とがそれぞれ形成されたサポータ本体１３と、サポータ本体１３の掌側部分１４に配される掌側シーネ１５と、掌側シーネ１５と同一サイズで、サポータ本体１３の背側部分１６に配される背側シーネ１７とを備えものである。
【００２２】
以下、これらの構成体を具体的に説明する。
図１および図２に示すように、サポータ本体１３は、それぞれ厚肉で密度が高い不織布製のシート材からなる掌側部分１４と、連結部１８と、背側部分１６と、一対の締結ベルト１９とを有している。
このうち、掌側部分１４は、手部から前腕部までの長さを有するＸ１−Ｘ２方向に長い矩形状のシート材である。掌側部分１４のＹ１側の端には、連結部１８を介して、サポータ本体１３の背側部分１６のＹ２側の端が一体的に連結されている。
また、掌側部分１４のＹ２側の端には、掌側シーネ用カバー２０のＹ２側の端部が連結されている。掌側シーネ用カバー２０は、掌側部分１４と略同一サイズのＸ１−Ｘ２方向に長い矩形状のシートで、その裏側に雄型の掌側面ファスナ（掌側掛止部材）２１が接合されている。
【００２３】
連結部１８は、幅狭なＸ１−Ｘ２方向に細長いシート材である。この連結部１８の幅方向の中間位置には、サポータ本体１３を２つに折り畳むための、サポータ本体１３長さ方向に延びる仮想線ａが配されている。連結部１８のＸ１側の端部には、その仮想線ａ上に、Ｘ１−Ｘ２方向に細長い左母指通し穴１１が形成されている。また、連結部１８のＸ２側の端部には、その仮想線ａ上に、Ｘ１−Ｘ２方向に細長い右母指通し穴１２が形成されている。
背側部分１６は、掌側部分１４より大判なＸ１−Ｘ２方向に長い矩形状のシート材である。
この背側部分１６のＸ２側の端部の内側には、左右兼用手首サポータ１０の左手装着時に、背側シーネ１７の遠位側の端が、左手の小指から示指までの各ＭＰ関節との対峙位置に配されるように、背側シーネ１７の近位側の端部を収納して位置決めする左用位置決めポケット２２が設けられている（図４および図８）。
また、背側部分１６のＸ１側の端部の内側には、左右兼用手首サポータ１０の右手装着時に、背側シーネ１７の遠位側の端が、右手の小指から示指までの各ＭＰ関節との対峙位置に配されるように、背側シーネ１７の近位側の端部を収納して位置決めする右用位置決めポケット２３が設けられている（図９）。このとき、左用位置決めポケット２２と右用位置決めポケット２３との離間長さは、背側シーネ１７の長さより短い。したがって、掌側シーネ１５は、掌側シーネ用カバー２０を閉じることで現出した、掌側シーネ収納部２４に収納される。
【００２４】
また、背側部分１６のＹ２側の端には、背側シーネ１７用カバーのＹ２側の端部が連結されている。背側シーネ用カバー２５は、背側部分１６と略同一サイズのＸ１−Ｘ２方向に長い矩形状をした雄型の背側面ファスナ（背側掛止部材）２６である。したがって、左、右位置決めポケット２２，２３と、これに一部が収納された背側シーネ１７とは、背側シーネ用カバー２５を閉じることで現出した背側シーネ収納部２７に収納される。
さらに、一対の締結ベルト１９は、背側部分１６のＹ１側の端に一体的に連結されたシート材である。各締結ベルト１９は、各長さ方向がＹ１−Ｙ２方向に向いているとともに、Ｘ１−Ｘ２方向の長さが背側部分１６の長さの約半分の長さを有したものである。また、各締結ベルト１９の先細り化したＹ１側の端には、幅が狭い雄型の面ファスナ２８のＹ２側の端部が連結されている。
掌側シーネ１５および背側シーネ１７は、掌側部分１４より小判なＸ１−Ｘ２方向に長い矩形状のキャストシーネ（添え木）である。これらのシーネ１５，１７は、グラスファイバ芯材にポリイソシアネート樹脂等の水硬化性樹脂を含侵させた同一物である。
【００２５】
次に、図１〜図１０を参照して、この発明の実施例１に係る左右兼用手首サポータ１０の使用方法を説明する。まず、受傷した手首が左手の場合を例にとる。
図２に示すように、あらかじめサポータ本体１３の掌側シーネ用カバー２０および背側シーネ用カバー２５を、それぞれ開いておく。
その後、図３に示すように、掌側シーネ１５および背側シーネ１７を所定時間だけ水に浸す。これにより、各シーネ１５，１７のグラスファイバ芯材に含侵されたポリイソシアネート樹脂が徐々に硬化して行く。このうち、硬化途中の掌側シーネ１５を掌側部分１４の裏側に載置し（図４）、その後、掌側シーネ１５を覆うように掌側シーネ用カバー２０を閉じる（図１および図５）。これにより、雄型の面ファスナ２１が不織布製の掌側部分１４の裏側に掛止されて、現出した掌側シーネ収納部２４に掌側シーネ１５が収納される。
【００２６】
一方、硬化途中の背側シーネ１７を背側部分１６の裏側に載置する（図４）。このとき、背側シーネ１７の近位側の端部を左用位置決めポケット２２に収納することで、左右兼用手首サポータ１０の左手装着時に、背側シーネ１７の遠位側の端が、左手の小指から示指までの各ＭＰ関節との対峙位置に配されるように位置決めされる（図４および図８）。
その後、背側シーネ１７を覆うように背側シーネ用カバー２５を閉じる。これにより、雄型の面ファスナ２６が不織布製の掌側部分１４の裏側に掛止されて、現出した掌側シーネ収納部２７に背側シーネ１７が収納される。
【００２７】
次に、図５〜図８を参照して、左右兼用手首サポータ１０の左手装着時について説明する。
図５に示すように、左右兼用手首サポータ１０の左手装着時には、まず、左母指通し穴１１がサポータ長さ方向の遠位側となるように左右兼用手首サポータ１０の向きを合わせ、この状態で左母指通し穴１１に左母指を差し通す。
その後、掌側シーネ１５が配されたサポータ本体１３の掌側部分１４を、左手の手部から前腕部までの掌側の面にあてがう。このとき、掌側部分１４の遠位側の端は、左手の小指から示指までの４本の指の大きな可動域を確保するように、これらの指のＭＰ関節の近くに配置される（図８）。
次いで、この状態を維持して、背側シーネ１７を左手の手部から前腕部までの背側の面にあてがいながら、左右兼用手首サポータ１０を左手に巻き付け、各締結ベルト１９の雄型の面ファスナ２８を掌側部分１４の表側に掛止することにより、サポータ本体１３の背側部分１６を掌側部分１４に着脱自在に締結する（図６および図７）。
【００２８】
次に、図８〜図１１を参照して、左右兼用手首サポータ１０の右手装着時について説明する。
上述した左手の場合と異なるのは、硬化途中の背側シーネ１７を背側部分１６の裏側に載置する際、背側シーネ１７の近位側の端部を右用位置決めポケット２３に収納する点である。
その後、図９および図１０に示すように、まず、左右兼用手首サポータ１０の長さ方向の近位側と遠位側の向きを、左手装着時の場合とは反対となるように配置する。
その後、この状態で右母指通し穴１２に右母指を差し通す（図１０）。次いで、掌側シーネ１５が配されたサポータ本体１３の掌側部分１４を、右手の手部から前腕部までの掌側の面にあてがう。このとき、掌側部分１４の遠位側の端は、右手の小指から示指までの４本の指の大きな可動域を確保するように、これらの指のＭＰ関節の近くに配置される（図８を参照）。
その後、この状態を維持して、背側シーネ１７を右手の手部から前腕部までの背側の面にあてがいながら、左右兼用手首サポータ１０を右手に巻き付け、締結ベルト１９の雄型の面ファスナを掌側部分１４の表側に掛止することにより、サポータ本体１３の背側部分１６を掌側部分１４に着脱自在に締結する（図１０および図１１）。
【００２９】
このように、サポータ本体１３のうち、掌側部分１４と背側部分１６との連結部１８の長さ方向の一端部に左母指通し穴１１を形成する一方、その長さ方向の他端部に右母指通し穴１２を形成するように構成したため、使用時に、装着する左右の手に応じて、左右兼用手首サポータ１０の長さ方向の近位側と遠位側の向きを変更するだけで、これを左手用と右手用とに使い分けることができる。
その結果、サポータ本体１３に２つの母指通し穴１１，１２が形成された左右兼用手首サポータ１０でも、左右兼用手首サポータ１０の装着時に、使用しない側の母指通し穴による手部の固定力の低下が発生しない。
しかも、サポータ本体１３の背側部分１６の内側に背側シーネ１７を配置するとき、背側部分１６の長さ方向において、対応する母指通し穴１１，１２とは反対側に配された位置決めポケット２２，２３に、背側シーネ１７の近位側の端部を収納するように構成したため、掌側シーネ１５と同一サイズの背側シーネ１７を使用するにも拘わらず、左右兼用手首サポータ１０を左右の手の何れに装着した際でも、背側シーネ１７の遠位側の端部によって手首の背屈を十分に制限（阻害）することができる（図８）。
【００３０】
また、サポータ本体１３の掌側部分１４の内側に掌側シーネ１５を配置する際には、掌側の面ファスナ２１を介して、開閉自在な掌側シーネ用カバー２０を掌側シーネ１５の上から被せた状態で閉じる。また、サポータ本体１３の背側部分１６の内側に背側シーネ１７を配置する際には、背側の面ファスナ２６を介して、開閉自在な背側シーネ用カバー２５を背側シーネ１７の上から被せた状態で閉じる。このように構成したことで、サポータ本体１３の内側に対しての各シーネ１５、１７の配置位置を、次回以降の左右兼用手首サポータ１０の装着時にも維持することができる。
【００３１】
次に、図１２および図１３を参照して、この発明の実施例２に係る左右兼用手首サポータについて説明する。
図１２および図１３に示すように、実施例２の左右兼用手首サポータ１０Ａの特徴は、サポータ本体１３Ａの背側部分１６と、上下一対の締結ベルト１９との連結部分に、各締結ベルト１９を使用する前に、背側部分１６を掌側部分１４に着脱自在に仮止めするための上下一対の仮止めベルト５０の基端部をそれぞれ連結した点である。各仮止めベルト５０は幅が狭い布製のもので、その先端部の外面に、一対の雄型の面ファスナ片５１がそれぞれ固着されている。
【００３２】
次に、図１３を参照して、実施例２の左右兼用手首サポータ１０Ａの左手装着時について説明する。
図１３に示すように、左右兼用手首サポータ１０Ａの左手装着時には、まず、左母指通し穴１１がサポータ長さ方向の遠位側となるように左右兼用手首サポータ１０Ａの向きを合わせ、この状態で左母指通し穴１１に左母指を差し通す（図１３（ａ））。
その後、掌側シーネ１５が配されたサポータ本体１３Ａの掌側部分１４を、左手の手部から前腕部までの掌側の面にあてがう。
【００３３】
次いで、この状態を維持して、背側シーネ１７を左手の手部から前腕部までの背側の面にあてがいながら、左右兼用手首サポータ１０Ａを左手に巻き付け、この状態で、上下一対の仮止めベルト５０の雄型の面ファスナ片５１を、掌側部分１４の表側に仮止めする。これにより、左右兼用手首サポータ１０Ａの装着感を、幅が狭くて締結ベルト１９より着脱が容易な仮止めベルト５０を使用して確認することができる（図１３（ｂ））。
その後、各締結ベルト１９の雄型の面ファスナ２８を、各仮止めベルト５０の上から掌側部分１４の表側に掛止することにより、サポータ本体１３の背側部分１６を掌側部分１４に着脱自在に締結する（図１３（ｃ））。
その他の構成、作用および効果は、実施例１と略同じであるため、説明を省略する。
【産業上の利用可能性】
【００３４】
この発明に係る左右兼用手首サポータは、掌側シーネおよび背側シーネを利用して、骨折や捻挫等の受傷した手首を固定するための左右兼用の手首サポータの技術として有用である。
【符号の説明】
【００３５】
１０、１０Ａ  左右兼用手首サポータ、
１１  左母指通し穴、
１２  右母指通し穴、
１３，１３Ａ  サポータ本体、
１５  掌側シーネ、
１７  背側シーネ、
１８  連結部、
１９  締結ベルト、
２０  掌側シーネ用カバー、
２１  面ファスナ（掌側掛止部材）、
２２，２３  位置決めポケット、
２４  掌側シーネ収納部、
２５  背側シーネ用カバー、
２６  面ファスナ（背側掛止部材）、
２７  背側シーネ収納部。
【図１】
2020204124.tif 000003
【図２】
2020204124.tif 000004
【図３】
2020204124.tif 000005
【図４】
2020204124.tif 000006
【図５】
2020204124.tif 000007
【図６】
2020204124.tif 000008
【図７】
2020204124.tif 000009
【図８】
2020204124.tif 000010
【図９】
2020204124.tif 000011
【図１０】
2020204124.tif 000012
【図１１】
2020204124.tif 000013
【図１２】
2020204124.tif 000014
【図１３】
2020204124.tif 000015
【手続補正書】
【提出日】令和1年9月19日(2019.9.19)
【手続補正１】
【補正対象書類名】明細書
【補正対象項目名】全文
【補正方法】変更
【補正の内容】
【発明の詳細な説明】
【技術分野】
【０００１】
この発明は、添え木である掌側シーネおよび背側シーネを利用して、骨折や捻挫等の受傷した手首を固定するための左右兼用手首サポータに関する。
【背景技術】
【０００２】
手首の骨折や捻挫時には、シーネ付きの手首サポータ（リストスプリント）を使用し、受傷部位を固定することが行われている。
従来の手首サポータとしては、例えば、特許文献１の"手首用添え木構造体"に開示されたものなどが知られている。これは、面ファスナ付きの上下３本のストラップ体（サポータ本体）を使用し、掌側の添え木（掌側シーネ）と背側の添え木（背側シーネ）とを、受傷側の手部から前腕部までを掌背方向から挟むようにあてがって固定する左右兼用のサポータである。
【０００３】
特許文献１における左右兼用構造としては、２枚の添え木の各遠位側の端部（先部）を手部に固定する１本の細いストラップ体と、各添え木の中間部を手首に固定する遠位側の幅広なストラップ体とのあいだに、左右の母指通し用の隙間を形成したものが採用されている。そのため、この手首サポータを左手に装着する際には、掌側の添え木の遠位側の端部より左方の隙間から左手の母指を差し出し、この手首サポータを右手に装着する際には、掌側の添え木の遠位側の端部より右方の隙間から右手の母指を差し出す。
【先行技術文献】
【特許文献】
【０００４】
【特許文献１】特許第４３１４４３８号公報
【発明の概要】
【発明が解決しようとする課題】
【０００５】
しかしながら、特許文献１の手首サポータにあっては、その左右兼用構造として、細いストラップ体と遠位側の幅広なストラップ体とを離間配置し、この隙間の右側部分を右母指通し穴、左側部分を左母指通し穴としたものを採用していた。
そのため、手首サポータの手部との対峙部分にあっては、左右の手の何れに装着した場合でも、母指を差し通した側とは反対側に大きな穴が現出し、サポータによる手部の固定力、ひいては手首の固定力が大きく低下していた。
【０００６】
また、２枚の添え木は、手首の受傷部位を掌背方向から挟むように使用される。このとき、掌側の添え木は、小指から示指までの４本の指の大きな可動域を確保するため、これらの指のＭＰ関節（指の付け根部分にある第３関節）の近くに、その添え木の遠位側の端（指先側の先端）が配置される。
一方、背側の添え木は、ＭＰ関節を固定して手首の背屈を制限する必要があるため、その遠位側の端を、掌側の添え木の遠位側の端より先方（指先方向）となる、ＭＰ関節との対峙位置に配する必要があった。
なお、２枚の添え木は、互いに同一サイズとした方が材料の調達やコストの観点から好ましいことは当然である。
【０００７】
そこで、発明者は鋭意研究の結果、サポータ本体の手部、ひいては手首の固定力の低下が発生しない左右兼用手首サポータとするために、サポータ本体の長さ方向（上肢の遠近方向）の一端部に左母指通し穴を形成する一方、その長さ方向の他端部に右母指通し穴を形成した構成とし、使用時には、装着する左右の手に応じて、左右兼用手首サポータの長さ方向の近位側と遠位側の向きを変更すればよいことを知見した。
また、左右兼用手首サポータを左右の何れの手に装着した際でも、背側シーネによりＭＰ関節を固定して手首の背屈を制限できるように、サポータ本体の背側部分の長さ方向の両端部の内面に、背側の添え木の近位側の端部を収納する一対の位置決めポケットを配設すれば、これらの課題がすべて解消されることを知見し、この発明を完成させた。
【０００８】
この発明は、サポータ本体に２つの母指通し穴を有した左右兼用手首サポータでも、サポータの使用時に、使用しない側の母指通し穴による手部の固定力の低下が発生せず、また掌側シーネと同一サイズの背側シーネを使用するにも拘わらず、左右兼用手首サポータを左右の手の何れに装着したときでも、背側シーネの遠位側の端部によって手首の背屈を十分に制限可能な左右兼用手首サポータを提供することを目的としている。
【課題を解決するための手段】
【０００９】
請求項１に記載の発明は、手部から前腕部までを覆う長さの略矩形体であって、その長さ方向に延びる仮想線により折り畳まれて、腕の当該部位をはさんだとき、手の掌に当接する掌側部分および手の背に当接する背側部分を有し、その長さ方向の両端部に左母指通し穴および右母指通し穴がそれぞれ形成されたサポータ本体を備え、それぞれ矩形板状の背側シーネおよび掌側シーネが、前記サポータ本体の対応する掌側部分および背側部分に配されて、腕の当該装着部位を保護する左右兼用手首サポータにおいて、前記サポータ本体の背側部分の幅方向の一端には、該背側部分を着脱自在に前記掌側部分に締結する締結ベルトが連結され、前記背側部分の長さ方向の両端部の内側には、前記左右兼用手首サポータの左手または右手への装着時に、前記背側シーネの遠位側の端が、対応する手の小指から示指までの各ＭＰ関節との対峙位置に配されるように、前記背側シーネの近位側の端部を収納して位置決めする一対の位置決めポケットが配設された左右兼用手首サポータである。
【００１０】
左右兼用手首サポータは、左手と右手との何れにも使用可能なものである。
サポータ本体の素材は湾曲自在であれば任意である。例えば、各種の合成樹脂シート、各種の織布、各種の不織布、各種の編布などを採用することができる。
サポータ本体は、掌側部分と背側部分とを有している。具体的には、掌側部分の幅方向の一端に、背側部分の幅方向の一端が連結されている。サポータ本体を折り畳むための仮想線は、一般的に掌側部分と背側部分との連結位置に配されている。また、この背側部分の幅方向の他端には、背側部分を着脱自在に掌側部分に締結するための締結ベルトが連結されている。さらには、この背側部分の幅方向の他端には、締結ベルトを使用する前に、背側部分を掌側部分に着脱自在に仮止めするための仮止めベルトを配してもよい。
締結ベルトによる背側部分と掌側部分との着脱自在な連結構造としては、例えば、各種の面ファスナを採用することができる。その他、バックルなどの各種の連結部材を採用することができる。
締結ベルトの素材は任意である。例えば、サポータ本体と同じでもよい。
また、締結ベルトの長さや使用本数も任意である。
【００１１】
左母指通し穴および右母指通し穴の形状、サイズは任意である。これらの通し穴は、掌側部分と背側部分との連結部の長さ方向の対応する端部に、この長さ方向へ直線的に配される。
掌側シーネと背側シーネとの素材は任意である。例えば、石膏、ポリイソシアネート樹脂などの湿気硬化性樹脂といった吸水により硬化する素材などを採用することができる。その他、各種の金属板、各種の合成樹脂板、各種の木板などを採用することができる。
掌側シーネおよび背側シーネの形状は、これらが同一サイズであれば任意である。
【００１２】
また、ここでいう「背側シーネの遠位側の端が、対応する手の小指から示指までの各ＭＰ関節との対峙位置に配される」とは、例えば、サポータ左手装着時に、背側シーネの遠位側の端を、左手の小指から示指までの各ＭＰ関節との対峙位置に配置したり、サポータ右手装着時に、背側シーネの遠位側の端を、右手の小指から示指までの各ＭＰ関節との対峙位置に配置することを意味する。
一対の位置決めポケットは、一方が左右兼用手首サポータの左手装着時用のもので、他方が左右兼用手首サポータの右手装着時用のものである。
各位置決めポケットの素材は任意である。例えば、各種の合成樹脂シート、各種の織布、各種の不織布、各種の編布などを採用することができる。
【００１３】
請求項２に記載の発明は、前記サポータ本体の掌側部分の内側には、前記掌側シーネの上から被せた際に、前記掌側部分の内面との間で掌側シーネ収納部を形成する掌側シーネ用カバーが、掌側掛止部材を介して開閉自在に連結され、前記サポータ本体の背側部分の内側には、前記背側シーネの上から被せた際に、前記背側部分の内面との間で背側シーネ収納部を形成する背側シーネ用カバーが、背側掛止部材を介して開閉自在に連結された請求項１に記載の左右兼用手首サポータである。
【００１４】
掌側シーネ用カバーおよび背側シーネ用カバーの素材としては、各種の合成樹脂シート、各種の織布、各種の不織布、各種の編布などを採用することができる。
各シーネ用カバーのサイズは、対応するシーネより大判であれば任意である。
各シーネ用カバーは、対応するシーネ収納部を形成可能であれば、例えば、対応するシーネ用カバーの一端部のみを、サポータ本体の掌側部分または背側部分の各内側に、片開きドア状に連結してもよい。
掛止部材の種類は限定されない。例えば、面ファスナでも、フックでもよい。
【発明の効果】
【００１５】
請求項１に記載の発明によれば、左右兼用手首サポータの左手装着時には、まず左母指通し穴がサポータ長さ方向の遠位側となるように左右兼用手首サポータの向きを配置し、この状態で左母指通し穴に左母指を差し通す。その後、サポータ本体の掌側部分の内側に掌側シーネを配置して、これを左手の手部から前腕部までの掌側の面にあてがう。このとき、掌側部分の遠位側の端は、左手の小指から示指までの４本の指の大きな可動域を確保するため、これらの指のＭＰ関節の近くに配置される。
次に、サポータ本体の背側部分の内側に、掌側シーネと同一サイズの背側シーネを配置する。このとき、背側部分の長さ方向において、左母指通し穴とは反対側に配された位置決めポケットに、背側シーネの近位側の端部を収納する。
その後、この背側シーネ付きの背側部分を、左手の手部から前腕部までの背側の面にあてがいながら、左右兼用手首サポータを左手に巻き付け、締結ベルトによりサポータ本体の背側部分を掌側部分に着脱自在に締結する。
【００１６】
一方、左右兼用手首サポータの右手装着時には、まず左右兼用手首サポータの長さ方向の近位側と遠位側の向きを、左手装着時の場合とは反対となるように配置する。その後、右母指通し穴に右母指を差し通すとともに、サポータ本体の掌側部分の内側に掌側シーネを配置して、これを右手の手部から前腕部までの掌側の面をあてがう。このとき、掌側部分の遠位側の端は、右手の小指から示指までの４本の指の大きな可動域を確保するため、これらの指のＭＰ関節の近くに配置される。
次に、サポータ本体の背側部分の内側に背側シーネを配置する。このとき、背側部分の長さ方向において、右母指通し穴とは反対側に配された位置決めポケットに、背側シーネの近位側の端部を収納する。
その後、この背側シーネ付きの背側部分を、右手の手部から前腕部までの背側の面にあてがいながら、左右兼用手首サポータを右手に巻き付け、締結ベルトによりサポータ本体の背側部分を掌側部分に着脱自在に締結する。
【００１７】
このように、サポータ本体のうち、掌側部分と背側部分との連結部の長さ方向の一端部に左母指通し穴を形成する一方、その長さ方向の他端部に右母指通し穴を形成するように構成したため、使用時に、装着する左右の手に応じて、左右兼用手首サポータの長さ方向の近位側と遠位側の向きを変更するだけで、これを左手用と右手用とに使い分けることができる。
その結果、サポータ本体に２つの母指通し穴が形成された左右兼用手首サポータでも、左右兼用手首サポータの装着時に、使用しない側の母指通し穴による手部の固定力の低下が発生しない。
しかも、サポータ本体の背側部分の内側に背側シーネを配置するとき、背側部分の長さ方向において、対応する母指通し穴とは反対側に配された位置決めポケットに、背側シーネの近位側の端部を収納するように構成したため、掌側シーネと同一サイズの背側シーネを使用するにも拘わらず、左右兼用手首サポータを左右の手の何れに装着した際でも、背側シーネの遠位側の端部によって手首の背屈を十分に制限（阻害）することができる。
【００１８】
特に、請求項２に記載の発明によれば、サポータ本体の掌側部分の内側に掌側シーネを配置する際には、掌側掛止部材を介して、開閉自在な掌側シーネ用カバーを掌側シーネの上から被せた状態で閉じる。また、サポータ本体の背側部分の内側に背側シーネを配置する際には、背側掛止部材を介して、開閉自在な背側シーネ用カバーを背側シーネの上から被せた状態で閉じる。このように構成したことで、サポータ本体の内側に対しての掌側シーネおよび背側シーネの配置位置を、次回以降の左右兼用手首サポータの装着時にも維持することができる。
【図面の簡単な説明】
【００１９】
【図１】この発明の実施例１に係る左右兼用手首サポータの全体平面図である。
【図２】この発明の実施例１に係る左右兼用手首サポータの掌側シーネ用カバーおよび背側シーネ用カバーを開いた状態の斜視図である。
【図３】この発明の実施例１に係る左右兼用手首サポータの掌側シーネおよび背側シーネの浸水状態を示す斜視図である。
【図４】この発明の実施例１に係る左右兼用手首サポータの左手装着時のサポータ本体への掌側シーネおよび背側シーネの取り付け状態を示す斜視図である。
【図５】この発明の実施例１に係る左右兼用手首サポータの左手装着開始状態を示す平面図である。
【図６】この発明の実施例１に係る左右兼用手首サポータの左手装着後の状態を示す平面図である。
【図７】この発明の実施例１に係る左右兼用手首サポータの左手装着後の状態を示す底面図である。
【図８】この発明の実施例１に係る左右兼用手首サポータの左手装着状態での掌側シーネおよび背側シーネの各遠位側の端の位置を示す側面図である。
【図９】この発明の実施例１に係る左右兼用手首サポータの右手装着時のサポータ本体への掌側シーネおよび背側シーネの取り付け状態を示す斜視図である。
【図１０】この発明の実施例１に係る左右兼用手首サポータの右手装着後の状態を示す平面図である。
【図１１】この発明の実施例１に係る左右兼用手首サポータの右手装着後の状態を示す底面図である。
【図１２】この発明の実施例２に係る左右兼用手首サポータの一部を構成するサポータ本体の平面図である。
【図１３】（ａ）この発明の実施例２に係る左右兼用手首サポータの左手装着開始状態を示す平面図である。（ｂ）この発明の実施例２に係る左右兼用手首サポータの左手装着時に掌側部分に仮止めベルトを掛止している状態を示す平面図である。（ｃ）この発明の実施例２に係る左右兼用手首サポータの左手装着後の状態を示す平面図である。
【発明を実施するための形態】
【００２０】
以下、この発明の実施例を具体的に説明する。ここでは説明の都合上、図１〜図8において、Ｘ１側を左右兼用手首サポータの長さ方向の遠位側、Ｘ２側を左右兼用手首サポータの長さ方向の近位側、Ｙ１側を左右兼用手首サポータの幅方向の一端側、Ｙ２側を左右兼用手首サポータの幅方向の他端側とする。なお、図1〜図８においてはサポータを左手に装着している。
【実施例】
【００２１】
図１に示すように、この発明の実施例１に係る左右兼用手首サポータ１０は、受傷した手の手部から前腕部までを覆い、左母指通し穴１１と右母指通し穴１２とがそれぞれ形成されたサポータ本体１３と、サポータ本体１３の掌側部分１４に配される掌側シーネ１５と、掌側シーネ１５と同一サイズで、サポータ本体１３の背側部分１６に配される背側シーネ１７とを備えものである。
【００２２】
以下、これらの構成体を具体的に説明する。
図１および図２に示すように、サポータ本体１３は、それぞれ厚肉で密度が高い不織布製のシート材からなる掌側部分１４と、連結部１８と、背側部分１６と、一対の締結ベルト１９とを有している。
このうち、掌側部分１４は、手部から前腕部までの長さを有するＸ１−Ｘ２方向に長い矩形状のシート材である。掌側部分１４のＹ１側の端には、連結部１８を介して、サポータ本体１３の背側部分１６のＹ２側の端が一体的に連結されている。
また、掌側部分１４のＹ２側の端には、掌側シーネ用カバー２０のＹ２側の端部が連結されている。掌側シーネ用カバー２０は、掌側部分１４と略同一サイズのＸ１−Ｘ２方向に長い矩形状のシートで、その裏側に雄型の掌側面ファスナ（掌側掛止部材）２１が接合されている。
【００２３】
連結部１８は、幅狭なＸ１−Ｘ２方向に細長いシート材である。この連結部１８の幅方向の中間位置には、サポータ本体１３を２つに折り畳むための、サポータ本体１３長さ方向に延びる仮想線ａが配されている。連結部１８のＸ１側の端部には、その仮想線ａ上に、Ｘ１−Ｘ２方向に細長い左母指通し穴１１が形成されている。また、連結部１８のＸ２側の端部には、その仮想線ａ上に、Ｘ１−Ｘ２方向に細長い右母指通し穴１２が形成されている。
背側部分１６は、掌側部分１４より大判なＸ１−Ｘ２方向に長い矩形状のシート材である。
この背側部分１６のＸ２側の端部の内側には、左右兼用手首サポータ１０の左手装着時に、背側シーネ１７の遠位側の端が、左手の小指から示指までの各ＭＰ関節との対峙位置に配されるように、背側シーネ１７の近位側の端部を収納して位置決めする左用位置決めポケット２２が設けられている（図４および図８）。
また、背側部分１６のＸ１側の端部の内側には、左右兼用手首サポータ１０の右手装着時に、背側シーネ１７の遠位側の端が、右手の小指から示指までの各ＭＰ関節との対峙位置に配されるように、背側シーネ１７の近位側の端部を収納して位置決めする右用位置決めポケット２３が設けられている（図９）。このとき、左用位置決めポケット２２と右用位置決めポケット２３との離間長さは、背側シーネ１７の長さより短い。したがって、掌側シーネ１５は、掌側シーネ用カバー２０を閉じることで現出した、掌側シーネ収納部２４に収納される。
【００２４】
また、背側部分１６のＹ２側の端には、背側シーネ１７用カバーのＹ２側の端部が連結されている。背側シーネ用カバー２５は、背側部分１６と略同一サイズのＸ１−Ｘ２方向に長い矩形状をした雄型の背側面ファスナ（背側掛止部材）２６である。したがって、左、右位置決めポケット２２，２３と、これに一部が収納された背側シーネ１７とは、背側シーネ用カバー２５を閉じることで現出した背側シーネ収納部２７に収納される。
さらに、一対の締結ベルト１９は、背側部分１６のＹ１側の端に一体的に連結されたシート材である。各締結ベルト１９は、各長さ方向がＹ１−Ｙ２方向に向いているとともに、Ｘ１−Ｘ２方向の長さが背側部分１６の長さの約半分の長さを有したものである。また、各締結ベルト１９の先細り化したＹ１側の端には、幅が狭い雄型の面ファスナ２８のＹ２側の端部が連結されている。
掌側シーネ１５および背側シーネ１７は、掌側部分１４より小判なＸ１−Ｘ２方向に長い矩形状のキャストシーネ（添え木）である。これらのシーネ１５，１７は、グラスファイバ芯材にポリイソシアネート樹脂等の水硬化性樹脂を含侵させた同一物である。
【００２５】
次に、図１〜図１０を参照して、この発明の実施例１に係る左右兼用手首サポータ１０の使用方法を説明する。まず、受傷した手首が左手の場合を例にとる。
図２に示すように、あらかじめサポータ本体１３の掌側シーネ用カバー２０および背側シーネ用カバー２５を、それぞれ開いておく。
その後、図３に示すように、掌側シーネ１５および背側シーネ１７を所定時間だけ水に浸す。これにより、各シーネ１５，１７のグラスファイバ芯材に含侵されたポリイソシアネート樹脂が徐々に硬化して行く。このうち、硬化途中の掌側シーネ１５を掌側部分１４の裏側に載置し（図４）、その後、掌側シーネ１５を覆うように掌側シーネ用カバー２０を閉じる（図１および図５）。これにより、雄型の面ファスナ２１が不織布製の掌側部分１４の裏側に掛止されて、現出した掌側シーネ収納部２４に掌側シーネ１５が収納される。
【００２６】
一方、硬化途中の背側シーネ１７を背側部分１６の裏側に載置する（図４）。このとき、背側シーネ１７の近位側の端部を左用位置決めポケット２２に収納することで、左右兼用手首サポータ１０の左手装着時に、背側シーネ１７の遠位側の端が、左手の小指から示指までの各ＭＰ関節との対峙位置に配されるように位置決めされる（図４および図８）。
その後、背側シーネ１７を覆うように背側シーネ用カバー２５を閉じる。これにより、雄型の面ファスナ２６が不織布製の掌側部分１４の裏側に掛止されて、現出した掌側シーネ収納部２７に背側シーネ１７が収納される。
【００２７】
次に、図５〜図８を参照して、左右兼用手首サポータ１０の左手装着時について説明する。
図５に示すように、左右兼用手首サポータ１０の左手装着時には、まず、左母指通し穴１１がサポータ長さ方向の遠位側となるように左右兼用手首サポータ１０の向きを合わせ、この状態で左母指通し穴１１に左母指を差し通す。
その後、掌側シーネ１５が配されたサポータ本体１３の掌側部分１４を、左手の手部から前腕部までの掌側の面にあてがう。このとき、掌側部分１４の遠位側の端は、左手の小指から示指までの４本の指の大きな可動域を確保するように、これらの指のＭＰ関節の近くに配置される（図８）。
次いで、この状態を維持して、背側シーネ１７を左手の手部から前腕部までの背側の面にあてがいながら、左右兼用手首サポータ１０を左手に巻き付け、各締結ベルト１９の雄型の面ファスナ２８を掌側部分１４の表側に掛止することにより、サポータ本体１３の背側部分１６を掌側部分１４に着脱自在に締結する（図６および図７）。
【００２８】
次に、図８〜図１１を参照して、左右兼用手首サポータ１０の右手装着時について説明する。
上述した左手の場合と異なるのは、硬化途中の背側シーネ１７を背側部分１６の裏側に載置する際、背側シーネ１７の近位側の端部を右用位置決めポケット２３に収納する点である。
その後、図９および図１０に示すように、まず、左右兼用手首サポータ１０の長さ方向の近位側と遠位側の向きを、左手装着時の場合とは反対となるように配置する。図９においては、Ｘ１は左右兼用手首サポータ１０の近位側、Ｘ２は左右兼用手首サポータ１０の遠位側を示す。
その後、この状態で右母指通し穴１２に右母指を差し通す（図１０）。次いで、掌側シーネ１５が配されたサポータ本体１３の掌側部分１４を、右手の手部から前腕部までの掌側の面にあてがう。このとき、掌側部分１４の遠位側の端は、右手の小指から示指までの４本の指の大きな可動域を確保するように、これらの指のＭＰ関節の近くに配置される（図８を参照）。
その後、この状態を維持して、背側シーネ１７を右手の手部から前腕部までの背側の面にあてがいながら、左右兼用手首サポータ１０を右手に巻き付け、締結ベルト１９の雄型の面ファスナを掌側部分１４の表側に掛止することにより、サポータ本体１３の背側部分１６を掌側部分１４に着脱自在に締結する（図１０および図１１）。
【００２９】
このように、サポータ本体１３のうち、掌側部分１４と背側部分１６との連結部１８の長さ方向の一端部に左母指通し穴１１を形成する一方、その長さ方向の他端部に右母指通し穴１２を形成するように構成したため、使用時に、装着する左右の手に応じて、左右兼用手首サポータ１０の長さ方向の近位側と遠位側の向きを変更するだけで、これを左手用と右手用とに使い分けることができる。
その結果、サポータ本体１３に２つの母指通し穴１１，１２が形成された左右兼用手首サポータ１０でも、左右兼用手首サポータ１０の装着時に、使用しない側の母指通し穴による手部の固定力の低下が発生しない。
しかも、サポータ本体１３の背側部分１６の内側に背側シーネ１７を配置するとき、背側部分１６の長さ方向において、対応する母指通し穴１１，１２とは反対側に配された位置決めポケット２２，２３に、背側シーネ１７の近位側の端部を収納するように構成したため、掌側シーネ１５と同一サイズの背側シーネ１７を使用するにも拘わらず、左右兼用手首サポータ１０を左右の手の何れに装着した際でも、背側シーネ１７の遠位側の端部によって手首の背屈を十分に制限（阻害）することができる（図８）。
【００３０】
また、サポータ本体１３の掌側部分１４の内側に掌側シーネ１５を配置する際には、掌側の面ファスナ２１を介して、開閉自在な掌側シーネ用カバー２０を掌側シーネ１５の上から被せた状態で閉じる。また、サポータ本体１３の背側部分１６の内側に背側シーネ１７を配置する際には、背側の面ファスナ２６を介して、開閉自在な背側シーネ用カバー２５を背側シーネ１７の上から被せた状態で閉じる。このように構成したことで、サポータ本体１３の内側に対しての各シーネ１５、１７の配置位置を、次回以降の左右兼用手首サポータ１０の装着時にも維持することができる。
【００３１】
次に、図１２および図１３を参照して、この発明の実施例２に係る左右兼用手首サポータについて説明する。なお、これらの図１２，図13においては、Ｘ１は左右兼用手首サポータ１０の遠位側、Ｘ２は左右兼用手首サポータ１０の近位側を示す。
図１２および図１３に示すように、実施例２の左右兼用手首サポータ１０Ａの特徴は、サポータ本体１３Ａの背側部分１６と、上下一対の締結ベルト１９との連結部分に、各締結ベルト１９を使用する前に、背側部分１６を掌側部分１４に着脱自在に仮止めするための上下一対の仮止めベルト５０の基端部をそれぞれ連結した点である。各仮止めベルト５０は幅が狭い布製のもので、その先端部の外面に、一対の雄型の面ファスナ片５１がそれぞれ固着されている。
【００３２】
次に、図１３を参照して、実施例２の左右兼用手首サポータ１０Ａの左手装着時について説明する。
図１３に示すように、左右兼用手首サポータ１０Ａの左手装着時には、まず、左母指通し穴１１がサポータ長さ方向の遠位側となるように左右兼用手首サポータ１０Ａの向きを合わせ、この状態で左母指通し穴１１に左母指を差し通す（図１３（ａ））。
その後、掌側シーネ１５が配されたサポータ本体１３Ａの掌側部分１４を、左手の手部から前腕部までの掌側の面にあてがう。
【００３３】
次いで、この状態を維持して、背側シーネ１７を左手の手部から前腕部までの背側の面にあてがいながら、左右兼用手首サポータ１０Ａを左手に巻き付け、この状態で、上下一対の仮止めベルト５０の雄型の面ファスナ片５１を、掌側部分１４の表側に仮止めする。これにより、左右兼用手首サポータ１０Ａの装着感を、幅が狭くて締結ベルト１９より着脱が容易な仮止めベルト５０を使用して確認することができる（図１３（ｂ））。
その後、各締結ベルト１９の雄型の面ファスナ２８を、各仮止めベルト５０の上から掌側部分１４の表側に掛止することにより、サポータ本体１３の背側部分１６を掌側部分１４に着脱自在に締結する（図１３（ｃ））。
その他の構成、作用および効果は、実施例１と略同じであるため、説明を省略する。
【産業上の利用可能性】
【００３４】
この発明に係る左右兼用手首サポータは、掌側シーネおよび背側シーネを利用して、骨折や捻挫等の受傷した手首を固定するための左右兼用の手首サポータの技術として有用である。
【符号の説明】
【００３５】
１０、１０Ａ  左右兼用手首サポータ、
１１  左母指通し穴、
１２  右母指通し穴、
１３，１３Ａ  サポータ本体、
１５  掌側シーネ、
１７  背側シーネ、
１８  連結部、
１９  締結ベルト、
２０  掌側シーネ用カバー、
２１  面ファスナ（掌側掛止部材）、
２２，２３  位置決めポケット、
２４  掌側シーネ収納部、
２５  背側シーネ用カバー、
２６  面ファスナ（背側掛止部材）、
２７  背側シーネ収納部。